(57)【要約】【課題】  刈刃の半径方向の切断深さを規定する部材を着脱可能にして汎用性の向上を図った。【解決手段】  刈刃２の下面７側に着脱可能に取付けられ外周端により刈刃２の半径方向の切断深さｈを規定する刈刃２よりも小径の円盤体２０と、回転軸３に固定され円盤体２０を取付けるための取付部材３０とを備え、円盤体２０の中央に締め付け方向が刈刃２の回転方向とは逆回転方向の雌ネジ２４を形成し、取付部材３０を雌ネジ２４に螺合する雄ネジ３１を形成した円柱状に形成し、円盤体２０に円盤体２０を取付部材３０に対して回転させて雌ネジ２４及び雄ネジ３１の締め付け若しくは緩めを行なうための把手４０を設けた。【選択図】  図３
0003126615.tif 000002
【実用新案登録請求の範囲】
【請求項１】
操作杆の先端部の回転軸に中心の通孔が挿通されて固定される円盤状の刈刃を備え、上記回転軸の回転により該刈刃で対象物を刈り払う刈払機に用いられる刈払機用アタッチメントにおいて、
上記刈刃の下面側に着脱可能に取付けられ外周端により該刈刃の半径方向の切断深さを規定する該刈刃よりも小径の円盤体を備えたことを特徴とする刈払機用アタッチメント。
【請求項２】
操作杆の先端部の回転軸に中心の通孔が挿通されて固定される円盤状の刈刃を備え、上記回転軸の回転により該刈刃で対象物を刈り払う刈払機に用いられる刈払機用アタッチメントであって、上記刈刃の下面側に着脱可能に取付けられ外周端により該刈刃の半径方向の切断深さを規定する該刈刃よりも小径の円盤体と、上記回転軸に固定され上記円盤体を取付けるための取付部材とを備えた刈払機用のアタッチメントにおいて、
上記円盤体の中央に締め付け方向が上記刈刃の回転方向とは逆回転方向の雌ネジを形成し、上記取付部材を上記雌ネジに螺合する雄ネジを形成した円柱状に形成し、上記円盤体に該円盤体を上記取付部材に対して回転させて上記雌ネジ及び雄ネジの締め付け若しくは緩めを行なうための把手を設けたことを特徴とする刈払機用アタッチメント。
【請求項３】
上記回転軸に雄ネジが形成され、上記取付部材の中心に上記回転軸に挿通される挿通孔を形成し、上記回転軸にナットを螺合することにより上記刈刃を上記取付部材で押圧保持するようにしたことを特徴とする請求項２記載の刈払機用アタッチメント。
【請求項４】
上記把手を、上記円盤体の下面中央にブロック状に膨出形成し、該把手の外周に指を掛止可能な凹所を形成したことを特徴とする請求項２または３記載の刈払機用アタッチメント。
【請求項５】
上記円盤体及び取付部材のうち、少なくとも円盤体を樹脂で形成したことを特徴とする請求項２，３または４記載の刈払機用アタッチメント。
【請求項６】
上記円盤体の下面外周に、凸条を突設したことを特徴とする請求項２，３，４または５記載の刈払機用アタッチメント。
【請求項７】
上記円盤体及び取付部材のうち、少なくとも円盤体を樹脂で形成し、
上記円盤体の凸条に、上記円盤体の外周方向に沿って金属を埋設したことを特徴とする請求項６記載の刈払機用アタッチメント。
【請求項８】
上記円盤体の取り外し時に、上記円盤体に代わって上記取付部材に取付けられ、上記取付部材を被覆して該取付部材を保護する保護部材を備えたことを特徴とする請求項２，３，４，５，６または７記載の刈払機用アタッチメント。
【請求項９】
上記刈払機は、上記回転軸に雄ネジが形成され、上記刈刃を上記回転軸に挿通し、次に、中心に挿通孔を有した押え部材を当該挿通孔を上記回転軸に挿通して取付け、最後に上記回転軸にナットを螺合することにより上記刈刃を保持するように構成され、
上記円盤体の中央に上記回転軸が挿通される貫通孔を形成し、該円盤体をその貫通孔を上記回転軸に挿通して上記刈刃の下面側に付帯させ、上記押え部材及びナットにより上記刈刃とともに保持するようにしたことを特徴とする請求項１記載の刈払機用アタッチメント。
【請求項１０】
上記請求項１乃至９いずれかに記載の刈払機用アタッチメントを用いたことを特徴とする刈払機。
【考案の詳細な説明】
【技術分野】
【０００１】
本考案は、回転する円盤状の刈刃により、例えば、草や小木等の対象物を刈り払う刈払機に用いられ、刈刃の半径方向の切断深さを規定し、刈払機の操作者及びその周囲の人に、誤って、刈刃が当たったときに、刈刃のくい込みを最小限にする刈払機用アタッチメント及びこの刈払機用アタッチメントを用いた刈払機に関する。
【背景技術】
【０００２】
従来、刈刃の半径方向の切断深さを規定した刈払機としては、例えば、特許文献１（実開平６−１９４１９号公報）に記載されたものが知られている。
図１５及び図１６に示すように、刈払機Ｓａは、操作杆１０１及び操作杆１０１の先端部に設けられる回転軸に固定された刈刃１０２を備えている。この刈刃１０２の下面には、径が刈刃１０２よりも小径のドーナツ状の凸条１０４が刈刃１０２と一体に設けられている。そして、刈刃１０２を回転して刈刃１０２の外周で雑草等の対象物１００を刈払う。この場合、凸条１０４の外周端縁で刈刃１０２の半径方向の切断深さが規定されており、刈払機Ｓａの操作者及びその周囲の人に、誤って、刈刃１０２が当たったときに、凸条１０４の外周が切り口付近に当接するので、刈刃１０２のくい込みを最小限にできる。
【０００３】
【特許文献１】実開平６−１９４１９号公報
【考案の開示】
【考案が解決しようとする課題】
【０００４】
ところで、このような刈払機Ｓａにあっては、草を刈払うときは良いが、例えば、木の枝等比較的太い対象物を切断したいときは、刈刃１０２に凸条１０４が固定なので、凸条１０４が逆に邪魔になって切断できない。即ち、凸条１０４で規定する切断深さを越えて対象物を切断できないという問題があった。
【０００５】
本考案は上記の問題点に鑑みて為されたもので、刈刃の半径方向の切断深さを規定する部材を着脱可能にして汎用性の向上を図った刈払機用アタッチメント及びこの刈払機用アタッチメントを用いた刈払機を提供することを目的とする。
【課題を解決するための手段】
【０００６】
このような目的を達成するための本考案の刈払機用アタッチメントは、操作杆の先端部の回転軸に中心の通孔が挿通されて固定される円盤状の刈刃を備え、上記回転軸の回転により該刈刃で対象物を刈り払う刈払機に用いられる刈払機用アタッチメントにおいて、上記刈刃の下面側に着脱可能に取付けられ外周端により該刈刃の半径方向の切断深さを規定する該刈刃よりも小径の円盤体と、上記回転軸に固定され上記円盤体を取付けるための取付部材とを備えた構成としている。
【０００７】
これにより、雑草等のように比較的切断深さが小さくても切断可能な対象物を刈払うときには、円盤体を取付けて回転軸を回転し、刈刃を対象物にあてて、これを刈払っていく。この際、円盤体の外周端縁で刈刃の半径方向の切断深さが規定され、誤って、刈払機の操作者及びその周囲の人に刈刃が当たったとしても、円盤体の外周端縁が当接するので、刈刃のくい込みを最小限にできる。また、その後、例えば、比較的太い枝等の大きい対象物を切断する場合、特に、円盤体で規定された切断深さを越えて切断したい場合には、円盤体を取外して、回転軸を回転させて対象物を切断していく。その後、再び雑草等を刈払う場合には、円盤体を取付けてこれらを刈払う。
【０００８】
即ち、切断深さを規定する円盤体の取付け及び取外しができるので、雑草等のように比較的切断深さが小さくても切断可能な対象物を刈払うときには、円盤体を取付けてこれらを切断し、比較的太い枝等の大きい対象物を切断するときには、円盤体を取外してこれらを切断する。そのため、比較的切断深さが小さくても切断可能な対象物、比較的太い枝等の大きい対象物のどちらにも対応することができ、汎用性を向上させることができる。
【０００９】
また、上記課題を解決するための刈払機用アタッチメントは、操作杆の先端部の回転軸に中心の通孔が挿通されて固定される円盤状の刈刃を備え、上記回転軸の回転により該刈刃で対象物を刈り払う刈払機に用いられる刈払機用アタッチメントであって、上記刈刃の下面側に着脱可能に取付けられ外周端により該刈刃の半径方向の切断深さを規定する該刈刃よりも小径の円盤体と、上記回転軸に固定され上記円盤体を取付けるための取付部材とを備えた刈払機用のアタッチメントにおいて、上記円盤体の中央に締め付け方向が上記刈刃の回転方向とは逆回転方向の雌ネジを形成し、上記取付部材を上記雌ネジに螺合する雄ネジを形成した円柱状に形成し、上記円盤体に該円盤体を上記取付部材に対して回転させて上記雌ネジ及び雄ネジの締め付け若しくは緩めを行なうための把手を設けた構成としている。
【００１０】
この場合、雑草等のように比較的切断深さが小さくても切断可能な対象物を刈払うときには、把手を把持して円盤体を回転し、取付部材の雄ネジに円盤体の雌ネジを締め付けて取付部材に円盤体を取付ける。これにより、把手を手で把持して円盤体を回転させるだけで、工具を用いることなく、円盤体を取付部材に対して取付けできる。この状態で、回転軸を回転し、刈刃を対象物にあてて、これを刈払っていく。
【００１１】
この際、円盤体の雌ネジの締め付け方向は、刈刃の回転方向とは逆回転方向なので、刈刃の回転させて円盤体が地面に擦れても円盤体の雌ネジが取付部材の雄ネジに対して緩むことがなく、刈払い作業中に、円盤体が取付部材から外れる事態が防止される。
また、円盤体の外周端縁で刈刃の半径方向の切断深さが規定され、誤って、刈払機の操作者及びその周囲の人に刈刃が当たったとしても、円盤体の外周端縁が切り口付近に当接するので、刈刃のくい込みを最小限にできる。
【００１２】
その後、例えば、比較的太い枝等の大きい対象物を切断する場合、特に、円盤体で規定された切断深さを越えて切断したい場合には、刈払機の回転軸の回転を止めた状態で、把手を把持して円盤体を回転し、取付部材に対して緩めて、取付部材から円盤体を取外す。これにより、円盤体が取外されるので、円盤体の着脱を容易に行なうことができる。
また、把手を手で把持して円盤体を回転させるだけで、工具を用いることなく、円盤体を取付部材に対して取外しできる。
そして、この状態で、回転軸を回転して対象物を切断する。この際、円盤体が取外されているので、切断深さを大きくでき、比較的太い枝のようなものでも容易に切断できる。
【００１３】
そして、その後、再び、雑草等を刈払う場合には、上記と同様にして円盤体を取付部材に取付ける。即ち、把手を把持して円盤体を回転できる。そのため、円盤体を取付部材に対し、逐一、工具を用いることなく取付け及び取外しを行なうことができ、着脱作業を容易に行なうことができ、汎用性を向上させることができる。
【００１４】
また、必要に応じ、上記回転軸に雄ネジが形成され、上記取付部材の中心に上記回転軸に挿通される挿通孔を形成し、上記回転軸にナット螺合することにより上記刈刃を上記取付部材で押圧保持するようにしている。
これにより、取付部材で刈刃を回転軸に押圧保持するとともに、取付部材を回転軸に固定でき、刈払機用アタッチメント全体の構造を簡易にできる。そのため、容易に製造することができ、製造コストの低減も期待できる。
【００１５】
更に、必要に応じ、上記把手を、上記円盤体の下面中央にブロック状に膨出形成し、該把手の外周に指を掛止可能な凹所を形成している。
これにより、円盤体を取付部材に対して回転するときは、凹所に指を掛止して把持し、円盤体を取付部材に対して回転する。
また、把手は、ブロック状に膨出形成されているので、把手が比較的強固になり、例えば、刈刃の回転時に地面に把手が接触しても把手事態が損傷し難くなる。更に、比較的外観品質も良いものとなる。
【００１６】
更にまた、必要に応じ、上記円盤体及び取付部材のうち、少なくとも円盤体を樹脂で形成されている。
樹脂は、比較的加工が容易であることから、円盤体の製造を容易に行なうことができる。
【００１７】
次にまた、必要に応じ、上記円盤体の下面外周に、凸条を突設している。
これにより、円盤体の下面外周に、凸条が突設され、この凸条で高くなった円盤体の外終端縁が対象物に当接するので、刈刃の切断深さの規定を確実に行なうことができる。
【００１８】
また、必要に応じ、上記円盤体及び取付部材のうち、少なくとも円盤体を樹脂で形成し上記円盤体の凸条に、上記円盤体の外周方向に沿って金属を埋設している。
これにより、円盤体の凸条が補強され、例えば、円盤体の凸条の頂部と地面とが擦れあっても、凸条が削られる等の損傷を軽減することができる。
【００１９】
また、必要に応じ、上記円盤体の取外し時に、上記円盤体に代わって上記取付部材に取付けられ、上記取付部材を被覆して該取付部材を保護する保護部材を備えている。
この場合、円盤体を取外した後、保護部材を取付部材に取付け、この状態で回転軸を回転して刈刃で対象物を切断する。そのため、取付部材は、保護部材で被覆されて保護されて外部に露出していないので、雄ネジが損傷したりする事態を防止できる。
【００２０】
また、必要に応じ、上記刈払機は、上記回転軸に雄ネジが形成され、上記刈刃を上記回転軸に挿通し、次に、中心に挿通孔を有した押え部材を当該挿通孔を上記回転軸に挿通して取付け、最後に上記回転軸にナットを螺合することにより上記刈刃を保持するように構成され、上記円盤体の中央に上記回転軸が挿通される貫通孔を形成し、該円盤体をその貫通孔を上記回転軸に挿通して上記刈刃の下面側に付帯させ、上記押え部材及びナットにより上記刈刃とともに保持するようにしている。
【００２１】
これにより、円盤体を取付けるときは、刈刃，円盤体及び押え部材を順に回転軸に挿通し、ナットを回転軸に螺合して押え部材で刈刃及び円盤体を保持する。また、円盤体で規定された切断深さを越えて切断したい場合には、回転軸に螺合したナットを緩めて押え部材を取外し、円盤体を回転軸から引き抜き、押え部材を回転軸に挿通しナットを回転軸に螺合して押え部材で刈刃を保持する。これにより、簡易な構造で円盤体を取付け及び取外しができる。また、円盤体以外の部材がないので、部品点数を少なくでき、製造コストを低減することができる。
【００２２】
そして、上記課題を解決するための本考案の刈払機は、上記の刈払機用アタッチメントを用いている。
上記の刈払機用アタッチメントにおいては、円盤体の取付け及び取外しを行なうことができる。これにより、雑草等のように比較的切断深さが小さくても切断可能な対象物を刈払うときには、円盤体を取付けてこれらを切断し、比較的太い枝等の大きい対象物を切断するときには、円盤体を取外してこれらを切断する。そのため、比較的切断深さが小さくても切断可能な対象物、比較的太い枝等の大きい対象物のどちらにも対応することができ、汎用性を向上させることができる。
【考案の効果】
【００２３】
本考案の刈払機用アタッチメント及び刈払機によれば、切断深さを規定する円盤体の取付け及び取外しができるので、雑草等のように比較的切断深さが小さくても切断可能な対象物を刈払うときには、円盤体を取付けてこれらを切断し、比較的太い枝等の大きい対象物を切断するときには、円盤体を取外してこれらを切断する。そのため、比較的切断深さが小さくても切断可能な対象物、比較的太い枝等の大きい対象物のどちらにも対応することができ、汎用性を向上させることができる。
【考案を実施するための最良の形態】
【００２４】
以下、添付図面に基づいて、本考案の実施の形態に係る刈払機用アタッチメント及び刈払機について詳細に説明する。
【００２５】
図１乃至図４に示すように、刈払機用アタッチメントＭを用いた刈払機Ｓは、操作杆１及び操作杆１の先端部１ａに設けられた回転軸３に固定された刈刃２を備えている。回転軸３は、その基端側に回転軸３と同動する座５が設けられ、その先端側には雄ネジ３ａが形成されている。座５の中央には、回転軸３と同軸に設けられた円形の凸部５ａが突出形成されている。刈刃２には、外周に鋸刃状の刃２ａが形成されている。また、刈刃２の中心には、通孔６が設けられている。また、円板の通孔６には、回転軸３が挿通されるとともに、凸部５ａが嵌入させられる。そして、刈刃２の回転軸３に対する固定は、後述の取付部材３０を介して行なわれる。尚、回転軸３は、図示しないが、操作杆１の内部に挿通された伝達軸を介し、エンジン等からの動力が伝達されて回転方向Ｒ１に回転させられる。
【００２６】
実施の形態においては、刈払機Ｓとして、既存の一般的な刈払機を用いた。図１２に示すように、この刈払機Ｓにおいて、刈刃２の回転軸３に対する固定は、刈刃２を座５に保持する押え部材１０及びナット１２で行なわれる。
押え部材１０は、押え部材１０の中心に回転軸３に挿通される挿通孔１１が形成されている。
そして、押え部材１０は、刈刃２を回転軸３に挿通し、次に、押え部材１０を挿通孔１１を回転軸３に挿通して取付け、最後に回転軸３にナット１２を螺合することにより刈刃２を保持する。
この刈払機Ｓに、本願考案の刈払機用アタッチメントＭを取付ける場合には、予め、ナット１２を緩めて押え部材１０を回転軸３から取外しておく。
【００２７】
図１乃至図８に示すように、刈払機Ｓに用いられるアタッチメントＭは、刈刃２の下面７側に着脱可能に取付けられ外周端により刈刃２の半径方向の切断深さｈを規定する刈刃２よりも小径の円盤体２０と、回転軸３に固定され円盤体２０を取付けるための取付部材３０とを備えている。
【００２８】
円盤体２０は、樹脂で形成され、円盤体２０の下面２５外周に、凸条２１が突設されている。円盤体２０の凸条２１には、円盤体２０の外周方向に沿って金属２２が埋設されている。樹脂は、比較的加工が容易であることから、円盤体２０の製造を容易に行なうことができる。金属２２は、リング状に形成されており、凸条２１の頂部に凹溝２３を形成するとともに凹溝２３に嵌入されて埋設される。更に、円盤体２０の一般部には、円盤体２０の軽量化のための複数の孔２８が穿設されている。
また、円盤体２０の中央には、締め付け方向が刈刃２の回転方向Ｒ１とは逆回転方向Ｒ２の雌ネジ２４が形成されている。
【００２９】
取付部材３０は、樹脂製であり、雌ネジ２４に螺合する雄ネジ３１を形成した円柱状に形成されている。取付部材３０の中心には、回転軸３に挿通される挿通孔３２が形成されている。また、取付部材３０の一端面には、凸部５ａが入り込む凹設部３３が形成されている。そして、回転軸３にナット３５を螺合することにより刈刃２を取付部材３０で押圧保持する。ナット３５は、その締め付け方向が、刈刃２の回転方向Ｒ１とは逆回転方向Ｒ２にそのネジ溝が形成されている。更に、取付部材３０には、回転軸３に固定しない状態で、誤って、円盤体２０の雌ネジ２４に螺合されて取れにくくなった際に、例えば、レンチ等を挿入して取付部材３０を円盤体２０に対して回転し、円盤体２０の雌ネジ２４から取付部材３０を取り出すための孔３８が設けられている。この孔３８は、六角レンチを挿入可能なように六角形状に形成されている。
図中、符号３６は、ナットに一体に設けられた座金，符号３４は、ナットを保持するために横断面円形に凹設された穴である。
【００３０】
また、円盤体２０には、円盤体２０を取付部材３０に対して回転させて雌ネジ２４及び雄ネジ３１の締め付け若しくは緩めを行なうための把手４０が一体に設けられている。把手４０は、円盤体２０の下面２５中央にブロック状に膨出形成されている。把手４０の外周には、指を掛止可能な凹所４１が形成されている。実施の形態においては、把手４０は、円盤体２０の下面２５に半球状に膨出形成されている。凹所４１は、等角度関係で４箇所設けられている。また、把手４０には、円盤体２０の刈刃２に面する側から、所定深さに凹部４２が凹設されており、この凹部４２内周に雌ネジ２４が形成されている。
更に、把手４０には、万が一、取付部材３０の雄ネジ３１に対して円盤体２０の雌ネジ３４が硬く締め付けられすぎた場合に、レンチ等を用いて雄ネジ３１に対して雌ネジ３４を緩めることができるように、孔４５が形成されている。孔４５は、六角レンチを挿入可能なように六角形状に形成されている。
【００３１】
また、図６乃至図８に示すように、円盤体２０の取外し時において、円盤体２０に代わって取付部材３０に取付けられ、取付部材３０を被覆して取付部材３０を保護する保護部材５０が設けられている。保護部材５０は、樹脂によりカップ状に形成され、その内周５１に取付部材３０の雄ネジ３１に螺合可能な雌ネジ５２が形成されている。雌ネジ５２は、締め付け方向が刈刃２の回転方向Ｒ１とは逆回転方向Ｒ２になるように形成されている。また、保護部材５０の外周には、指を掛止可能な凹所５３が複数形成されている。凹所５３は、等角度関係で４箇所設けられている。更に、この保護部材にも、レンチ等を用いて雄ネジ３１に対して雌ネジ５２を緩めることができるように、孔４５と同様の孔５５が形成されている。
【００３２】
従って、この刈払機Ｓを用いる場合には以下のようにする。
雑草等のように比較的切断深さが小さくても切断可能な対象物を刈払うときには、図１乃至図５に示すように、予め、例えば、刈刃２を手で押えて、刈刃２とともに取付部材３０が回転しないようにし、把手４０を凹所４１に指を掛止して把持して円盤体２０を回転方向Ｒ１とは逆回転方向Ｒ２に回転して、取付部材３０の雄ネジ３１に円盤体２０の雌ネジ２４を締め付けて取付部材３０に円盤体２０を取付ける。これにより、把手４０を手で把持して円盤体２０を回転させるだけで、工具を用いることなく、円盤体２０を取付部材３０に対して取付けできるので、円盤体２０の取付部材３０に対する取付作業を容易に行なうことができる。
【００３３】
そして、回転軸３を回転し、刈刃２の鋸刃状の刃２ａを対象物にあてて、これを刈払っていく。
この際、円盤体２０の雌ネジ２４の締め付け方向は、刈刃２の回転方向Ｒ１とは逆回転方向Ｒ２なので、刈刃２を回転させて円盤体２０が地面に擦れても円盤体２０の雌ネジ２４が取付部材３０の雄ネジ３１に対して緩むことがなく、刈払い作業中に、円盤体２０が取付部材３０から外れる事態が防止される。
【００３４】
また、円盤体２０の外周端縁で刈刃２の半径方向の切断深さｈが規定され、誤って、刈払機Ｓの操作者及びその周囲の人に刈刃２が当たったとしても、円盤体２０の外周端縁が当接するので、刈刃２のくい込みを最小限にできる。
更に、円盤体２０の下面２５外周に、凸条２１が突設され、切断する対象物の側面に凸条２１で高くなった円盤体２０の外周端縁が当接するので、刈刃２の切断深さｈの規定を確実にできる。また、円盤体２０の凸条２１には、金属が埋設されているので、円盤体２０の凸条２１が補強され、例えば、円盤体２０の凸条２１の頂部が地面に擦れても、凸条２１が削られる等の損傷を軽減することができる。
更にまた、把手４０を、円盤体２０の下面２５中央にブロック状に膨出形成したので、把手４０が比較的強固になり、刈刃２の回転時に地面に把手４０が接触しても把手４０自体が損傷し難くなる。
【００３５】
また、例えば、円盤体２０で規定された切断深さｈを越えて切断するような、比較的太い枝等の大きい対象物を切断する場合には、図６乃至図８に示すように、刈払機Ｓの回転軸３の回転を止めた状態で、刈刃２を手で押えるとともに、把手４０の凹所４１に指を掛止し手で把持して円盤体２０を回転方向Ｒ１に回転し、取付部材３０に対して緩めて、取付部材３０から円盤体２０を取外す。これにより、把手４０を手で把持して円盤体２０を回転させるだけで、逐一、工具を用いることなく、円盤体２０を取付部材３０に対して取外しできるので、円盤体２０の取付部材３０に対する取外し作業を容易に行なうことができる。
【００３６】
そして、凹部５３に手の指を掛止して保護部材５０を把持し、刈刃２を手で押え、保護部材５０を回転方向Ｒ１とは逆回転方向Ｒ２に回転し、保護部材５０の雌ネジ５２に取付部材３０の雄ネジ３１に締め付けて取付部材３０に保護部材５０を取付ける。
そして、この状態で、回転軸３を回転して対象物を切断する。この際、円盤体２０が取外されているので、切断深さを大きくでき、比較的太い枝のようなものでも容易に切断できる。また、取付部材３０は、保護部材５０で被覆されて保護されて外部に露出していないので、雄ネジ３１が損傷したりする事態を防止できる。
【００３７】
その後、再び、雑草等を刈払う場合には、凹所５３に手の指を掛止して保護部材５０を把持し、刈刃２を手で押え、保護部材５０を回転方向Ｒ１に回転し、保護部材５０の雌ネジ５２を取付部材３０の雄ネジ３１に対して緩めて保護部材５０を取付部材３０から取外す。次に、上記と同様にして円盤体２０を取付部材３０に取付ける。これにより、円盤体２０を取付部材３０に対し、逐一、工具を用いることなく取付け及び取外しを行なうことができ、着脱作業を容易に行なうことができ、汎用性を向上させることができる。
また、押え部材１０の代わりに、回転軸３に取付部材３０で刈刃２を押圧保持することができ、取付部材３０の構造が簡単になり、安価に製造できるようになる。更に、取付部材３０は、既存の刈払機Ｓの回転軸３に固定可能なので、汎用性の向上を図ることができる。
【００３８】
また、図９乃至図１１には、本考案の別の実施の形態に係る刈払機用アタッチメントＭ１及び刈払機を示している。
この刈払機用アタッチメントＭ１は、上記の実施の形態の一般的な刈払機Ｓに用いられるもので、刈刃２の下面側に着脱可能に取付けられ外周端により刈刃２の半径方向の切断深さを規定する刈刃２よりも小径の円盤体６０を備えている。円盤体６０は、上記の実施の形態のものと同様に、円盤体６０の下面外周に、凸条６１が突設されている。また、上記の実施の形態のものと異なり、把手がなく、円盤体６０の中央に回転軸３が挿通される貫通孔６２が形成されている。その他の構成は上記のものと同様である。
【００３９】
この円盤体６０は、回転軸３を、円盤体６０の貫通孔６２に挿通して刈刃２の下面７側に付帯させ、押え部材１０の挿通孔１１に回転軸３を挿通し、回転軸３の雄ネジ３ａにナット１２を螺合することにより押え部材１０及びナット１２で刈刃２とともに円盤体６０が保持されて取付けられる。
これにより、このアタッチメントＭ１は、簡易な構造で円盤体６０を取付け及び取外しができる。また、円盤体６０以外の部材がないので、部品点数を少なくでき、製造コストを低減することができる。
【００４０】
次に、アタッチメントＭ１を用いる場合について説明する。
図９乃至図１１に示すように、雑草等のように比較的切断深さが小さくても切断可能な対象物を刈払うときには、ナットを緩めて押え部材１０を回転軸３から取外し、回転軸３に円盤体６０の貫通孔６２を挿通する。次に、回転軸３を押え部材１０の挿通孔１１に挿通し、ナットを回転軸３の雄ネジ３ａに螺合し、押え部材１０で刈刃２及び円盤体６０を座５側に押し付けてこれらを押圧保持する。
そして、回転軸３３を回転し、刈刃２の鋸刃状の刃２ａを対象物にあてて、これを刈払っていく。
【００４１】
また、図１２に示すように、円盤体６０で規定された切断深さを越えて切断するような、例えば、木の枝等の比較的太い対象物を切断する場合には、刈払機Ｓの回転軸３３の回転を止めた状態で、ナット１２を緩めて押え部材１０を取外し、円盤体６０を回転軸３から抜く。次に、押え部材１０の挿通孔１１に回転軸３を挿通し、ナット１２を回転軸３に螺合して押え部材１０で刈刃２を保持する。この状態で回転軸３３を回転し、刈刃２の刃２ａを対象物にあてる。この際、円盤体６０が取外されて切断深さが大きくなっているので、比較的太い対象物も切断できるようになる。
その後、再び、雑草等を刈払う場合には、上記と同様にして円盤体６０を取付ける。
その他の作用及び効果は上記のものと同様である。
【００４２】
尚、本願考案の刈払機用アタッチメントＭの取付部材３０は、挿通孔３２を横断面円形に形成したが、これに限定されるものでなく、図１３に示すように、既存の刈払機Ｓの回転軸３３の形状に合わせて、例えば、スプライン形状に形成してよく、適宜設計変更して差支えない。この場合、回転軸３３に対し、取付部材３０が空回りしにくくなり、円盤体２０の取付けを容易にできる。
尚また、本願考案の円盤体２０は、一般部が板状のもので構成したが、これに限定されるものでなく、例えば、図１４に示すように、円盤体２０の中央の把手４０から外周縁の凸条２１に向けて延びる複数のフレーム２９を備えた構成として良い。
また、本願考案の円盤体２０（６０）に設けた凸条２１（６１）には、金属２２を埋設したが、金属２２を設けなくとも良く、適宜設計変更して差支えない。
【図面の簡単な説明】
【００４３】
【図１】本考案の実施の形態に係る刈払機用アタッチメント及び刈払機用アタッチメントを用いた刈払機を示す斜視図である。
【図２】本考案の実施の形態に係る刈払機用アタッチメント及び刈払機用アタッチメントを用いた刈払機を示す分解斜視図である。
【図３】本考案の実施の形態に係る刈払機用アタッチメント及び刈払機用アタッチメントを用いた刈払機を示す断面図である。
【図４】本考案の実施の形態に係る刈払機用アタッチメント及び刈払機用アタッチメントを用いた刈払機を示し、円盤体を取付部材に取付け時の説明図である。
【図５】本考案の実施の形態に係る刈払機用アタッチメント及び刈払機用アタッチメントを用いた刈払機を裏面から示す斜視図である。
【図６】本考案の実施の形態に係る刈払機用アタッチメント及び刈払機用アタッチメントを用いた刈払機を示し、取付部材に保護部材を取付けた状態で示す断面図である。
【図７】本考案の実施の形態に係る刈払機用アタッチメント及び刈払機用アタッチメントを用いた刈払機を示し、取付部材に保護部材を取付け時の説明図である。
【図８】本考案の実施の形態に係る刈払機用アタッチメント及び刈払機用アタッチメントを用いた刈払機を示し、取付部材に保護部材を取付けた状態で示す裏面側からの斜視図である。
【図９】本考案の別の実施の形態に係る刈払機用アタッチメント及び刈払機用アタッチメントを用いた刈払機を示す断面図である。
【図１０】本考案の別の実施の形態に係る刈払機用アタッチメント及び刈払機用アタッチメントを用いた刈払機を示す裏面側からの斜視図である。
【図１１】本考案の別の実施の形態に係る刈払機用アタッチメント及び刈払機用アタッチメントを用いた刈払機を示す分解斜視図である。
【図１２】一般的な刈払機の断面図である。
【図１３】本考案の実施の形態に係る刈払機用アタッチメント及び刈払機用アタッチメントを用いた刈払機の取付部材の変形例を示す図である。
【図１４】本考案の実施の形態に係る刈払機用アタッチメント及び刈払機用アタッチメントを用いた刈払機の円盤体の変形例を示す図である。
【図１５】従来の刈払機の一例を示す図である。
【図１６】従来の刈払機の刈刃の一例を示す図である。
【符号の説明】
【００４４】
Ｍ，Ｍ１  刈払機用アタッチメント
Ｓ  刈払機
１  操作杆
１ａ  先端部
２  刈刃
３  回転軸
３ａ  雄ネジ
５  座
５ａ  凸部
６  通孔
７  刈刃の下面
２０  円盤体
２１  凸条
２２  金属
２３  凹溝
２４  雌ネジ
２５  円盤体の下面
２８  孔
Ｒ１  刈刃の回転方向
Ｒ２  刈刃の回転方向の逆回転方向
３０  取付部材
３１  雄ネジ
３２  挿通孔
３３  凹設部
３４  穴
３５  ナット
３６  座金
３８  孔
４０  把手
４１  凹所
４２  凹部
４５  孔
５０  保護部材
５１  保護部材の内周
５２  雌ネジ
５３  凹所
５５  孔
６０  円盤体
６１  凸条
６２  貫通孔
【図１】
0003126615.tif 000003
【図２】
0003126615.tif 000004
【図３】
0003126615.tif 000005
【図４】
0003126615.tif 000006
【図５】
0003126615.tif 000007
【図６】
0003126615.tif 000008
【図７】
0003126615.tif 000009
【図８】
0003126615.tif 000010
【図９】
0003126615.tif 000011
【図１０】
0003126615.tif 000012
【図１１】
0003126615.tif 000013
【図１２】
0003126615.tif 000014
【図１３】
0003126615.tif 000015
【図１４】
0003126615.tif 000016
【図１５】
0003126615.tif 000017
【図１６】
0003126615.tif 000018